(57)【特許請求の範囲】
【請求項１】
接続領域を有する下方フェース（３８）を持つ接触タイプのスマートカード（Ｃ）を電気的に接続するためのコネクタ（３０）であって、
前記コネクタは弾性変形可能な電気的接触ブレード（９６）のサポートを形成する絶縁材料製のベース（３２）を有し、前記接触ブレードは前記カード（Ｃ）の長手挿入方向（Ｉ）に平行に伸張し、そして前記接触ブレードの湾曲した接触端（１００）が、接触位置において、前記カードの前記接続領域と係合するように前記ベース（３２）の上方フェース（７４）から突出し、
前記カード（Ｃ）の前記長手挿入方向（Ｉ）に対して直角なピボット軸（Ｘ−Ｘ）の回りで前記ベース（３２）に対してピボット旋回するように搭載されたレバー（１１２）に接続されており、前記接触ブレード（９６）の前記接触端（１００）の位置を制御する制御バー（１１４）が、
−前記接触端（１００）がその固有の弾力性に逆らって前記ベース（３２）の上方フェース（７４）から移動して離れ、そして、前記制御バー（１１４）が弾性手段によって復帰する後退位置と、
−前記接触端（１００）が前記接触位置にあり、そして、前記カード（Ｃ）が挿入行程の最後において前記制御バーと結合しているカム形成手段（１８６、１９０）と係合すると、前記制御バーが移動して向かう接触位置との間を移動するように搭載されているタイプのコネクタ（３０）において、
前記コネクタ（３０）が、前記制御バー（１１４）の運動及び弾性的復帰を制御する単一デバイス（１４２）を有することを特徴とするコネクタ（３０）。
【請求項２】
前記単一デバイス（１４２）が、
−前記単一デバイス（１４２）が弾性的に復帰し、そして、前記単一デバイス（１４２）が前記制御バー（１１４）をその後退位置に弾性的に復帰させる第１の角度位置と、
−前記単一デバイス（１４２）が、前記単一デバイス（１４２）上に配置されているカム形成手段（１８６、１９０）と係合している前記カードＣによって移動させられ、そして、前記制御バー（１１４）がその接触位置にある第２の角度位置と、
の間で、前記レバーの前記ピボット軸に平行な回転軸（Ｙ−Ｙ）の周りで前記ベース（３２）に対して揺動するように搭載されることを特徴とする請求項１に記載のコネクタ。
【請求項３】
前記単一デバイス（１４２）が横断方向部材（１４４）を有し、前記横断方向部材の２つの両端の各々がトーションバー（１４８）によって前記ベース（３２）に接続され、また、前記２つのトーションバー（１４８）が前記単一デバイス（１４２）をその第１の角度位置に向けて回転するように弾性的に駆動することを特徴とする請求項２に記載のコネクタ。
【請求項４】
前記単一デバイス（１４２）が、前記単一デバイス（１４２）がその第１の角度位置にあるときは前記制御バー（１１４）をその後退位置に駆動し、前記単一デバイスが第２の角度位置にあるときは前記制御バー（１１４）を離すために後出のアームが係合する前記制御バー（１１４）を制御する表面（１４０）に対向して伸張する自由端（１８０）を持つ制御アーム（１７４）を有し、これによって、前記接触ブレード（９６）の固有の弾力性の作用によって前記制御バーがその接触位置に移動できるようにすることを特徴とする請求項２又は３に記載のコネクタ。
【請求項５】
前記制御アーム（１７４）が、前記単一デバイス（１４２）の前記横断方向部材（１４４）から、前記ベース（３２）の前記上方フェース（７４）の平面にほぼ平行に、長手方向に後部から前部に伸張することを特徴とする請求項４に記載のコネクタ。
【請求項６】
前記制御アーム（１７４）が前記ベースの停止表面（１８１）に対向して伸張し、前記停止表面と係合して、前記単一デバイス（１４２）の最大の角度位置を定めることを特徴とする請求項４又は５に記載のコネクタ。
【請求項７】
前記単一デバイス（１４２）が２つの平行な制御アーム（１７４）を有することを特徴とする請求項１から６のいずれか１項に記載のコネクタ。
【請求項８】
前記単一デバイス（１４２）が、半径方向に伸張し、そして、前記単一デバイス（１４２）をその第１の角度位置からその第２の角度位置に回転させるように、前記カード（Ｃ）が係合するカムプロフィールを有する、起動タブ（１８６）を有することを特徴とする請求項２〜７のいずれか１項に記載のコネクタ。
【請求項９】
前記起動タブ（１８６）の自由端（１９０）が、カードが不在の時に、前記ベース（３２）の前記上方フェース（７４）の上方に突出するように伸張することを特徴とする請求項８に記載のコネクタ。
【請求項１０】
前記起動タブ（１８６）が、前記単一デバイス（１４２）の横断方向部材（１４４）から、半径方向に前部から後部に伸張することを特徴とする請求項８又は９に記載のコネクタ。
【請求項１１】
前記単一デバイス（１４２）が、前記単一デバイス（１４２）がその第１の角度位置にあるときは前記制御バー（１１４）をその後退位置に駆動し、前記単一デバイスが第２の角度位置にあるときは前記制御バー（１１４）を離すために後出のアームが係合する前記制御バー（１１４）を制御する表面（１４０）に対向して伸張する自由端（１８０）を持つ制御アーム（１７４）を有し、
前記起動タブ（１８６）が前記制御アーム（１７４）に対して約４５度の角度を成すことを特徴とする請求項８〜１０のいずれか１項に記載のコネクタ。
【請求項１２】
前記起動タブ（１８６）の自由端（１９０）は、前記カードの挿入位置において、特にカードに対してブレーキを形成するように自身が支承力を及ぼすように、前記カード（Ｃ）の下方フェース（３８）と係合することを特徴とする請求項８〜１１のいずれか１項に記載のコネクタ。
【請求項１３】
前記単一デバイス（１４２）が２つの平行な起動タブ（１８６）を有し、そして、前記カード（Ｃ）が前記２つのカムプロフィールと同時に係合することを特徴とする請求項８〜１２のいずれか１項に記載のコネクタ。
【請求項１４】
前記レバーの前記ピボット軸（Ｘ−Ｘ）と、前記制御バー（１１４）と、前記単一デバイスの前記回転軸（Ｙ−Ｙ）と、前記カム形成手段（１８６、１９０）と、が前記カードの前記長手挿入方向に沿って前部から後部に連続的に配置されることを特徴とする請求項２〜１３のいずれか１項に記載のコネクタ。
【請求項１５】
前記単一デバイス（１４２）と前記レバー（１１２）が前記ベース（３２）の下方フェース（８８）の下方に搭載されることを特徴とする請求項２〜１４のいずれか１項に記載のコネクタ。
【請求項１６】
前記停止表面（１８１）が前記ベース（３２）の前記下方フェースに形成されていることを特徴とする請求項６に記載のコネクタ。
【請求項１７】
前記単一デバイス（１４２）がカッティングされ折り曲げられたシート金属から成る部品であることを特徴とする請求項２〜１６のいずれか１項に記載のコネクタ。
【請求項１８】
前記単一デバイス（１４２）の静止部が、前記ベースを支持するプリント回路基板の接地平面に接続されるはずの少なくとも１つの電気的接続タブ（１９６）を有し、これによって前記カード（Ｃ）からすべての静電気を取り除くことを特徴とする請求項１７に記載のコネクタ。
【請求項１９】
前記制御バー（１１４）が前記接触ブレード（９６）の長手方向に直角に伸張し、そして、湾曲した接触端（１００）まで伸張する各接触ブレード（９６）の嘴状自由端（１０２）と係合することを特徴とする請求項１〜１８のいずれか１項に記載のコネクタ。
【請求項２０】
前記レバー（１１２）が、前記制御バー（１１４）によって一緒に接続され、そして、１群の平行接触ブレード（９６）の両側で伸張する２つの平行な長手方向部材（１１６）を有することを特徴とする請求項１〜１９のいずれか１項に記載のコネクタ。
【発明の詳細な説明】
本発明は、接触領域を有する下方フェースを持つ接触タイプのスマートカードを電気的に接続するコネクタに関する。
従って、本発明は、読み出し／書き込みデバイス中に後出のカードを挿入する方向に概して整合された複数の電気的接続領域を有する、チップカード又はマイクロ回路とも呼ばれるカードを接続するコネクタに関する。
本発明は、カードの長手方向の挿入方向に平行に伸張している後出のブレードであり、その接触位置において、カードの接続領域と係合するように後出のベースの上方フェースから突出している湾曲した接触領域を持つ弾性変形可能な電気的接触ブレードのサポートを形成する絶縁材料製のベースを有するタイプのコネクタに関する。
カードを挿入するときには、接触ブレードの湾曲端部分が最初にカードの前部エッジと係合し、これによってこの接触ブレードが、コネクタのベースの上方フェースから突出しているその正常位置から弾性的に偏向する。カードの挿入行程の残りの部分は、それがその最終的な挿入位置に達するまで、カードのプラスチック本体の反対側フェースに当接して接触ブレードの端部分のドーム構造凸状領域を長時間にわたって摩擦することによって明示される。
このように繰り返し摩擦することによる衝撃によって、カードが挿入されたり取り外されたりする度に、接触ブレードの湾曲端部分が非常に急速に摩耗し、カードと読み出し／書き込みデバイス間での接続部の品質が、特に、このような端部分に一般的に装備される特に金などの貴金属のコーティングが非常に急速に消滅するために、急速に影響されるようになる。
ある応用分野では、特にプラスチックカードが情報及び／又は宣伝用メッセージを保存しているのでこのプラスチックカードを破損しないようにするのが望ましい。
このことは、例えば、交換するまで多くの回数だけ挿入しなければならない電子支払いカードの場合に当てはまる。
その上、カードの前部横断方向エッジが第一に、係合するコネクタの接触部の第１の行の接触部がカードのパッドの２行に属する接触パッドによって連続的に摩擦され、したがって、第２の行の接触部の２倍の早さで摩耗する。
最後には、さらに、コネクタが滑動接触タイプのものである場合、カードの接触領域すなわちパッドだけが、カードの横断方向エッジに近接したカードのパッドの第１行目の場合には特にそうであるが、非常に速く摩耗する金や他の貴金属製の薄い層を有する。
これらの欠点を解決するために、文書第ＥＰ−Ｂ１−０．４６８．８２８号にすでに提案されているコネクタがあるが、それは、接触ブレードの接触端の位置を制御するバーが、カードの長手方向の挿入方向に直角なピボット軸の回りでベースに対してピボット旋回するように搭載されたレバーに接続されているタイプのコネクタであるが、
−接触端が、自身の固有の弾力性に逆らってベースの上方フェースから移動して離れ、また、制御バーが弾性手段によって復帰する後退位置と、
−接触端が接触している、また、カードがその挿入行程の端で、制御バーと結合しているカム形成手段と係合する際に移動する方向にある接触位置と、
の間で運動できるように搭載されている。
本書に説明され図示されている設計によれば、制御バーは、１群の平行接触ブレードの各々の側に伸張するレバーの２つの平行な長手方向部材を一緒に接続しており、また、この長手方向部材の自由端は、接触ブレードの接触端の反対側にあるが、レバーと制御バーのピボット旋回運動を制御するカムを有し、また、弾性復帰手段がベースと長手方向部材のこれらの端との間に配置されている１対の圧縮バネから成っている。
この周知の設計によって、接触ブレードの自由接触端がカードの挿入行程の端だけに接触する限り上記の欠点を解決することが可能であるが、この接触は完全には満足すべきものではない。
これは、弾性復帰手段が独立したバネという形態をとる構造ために、構成部品の数が倍加し、このためそのアセンブリが複雑なものとなり、同時にコネクタの高さ、すなわち厚さを増すからである。
制御バーを担持するレバーの長手方向の部材の自由端と同じ領域にバネとカムを位置させているために、特にカードに対する挿入と取り外しの力を制御するために、コネクタの操作に伴ってレバーアームに印加される様々な力を制御することがほとんど不可能となる。
その上、カードのエッジが係合するカム形成表面は、非常に多くの取り扱い動作に耐えるためには、プラスチックで作成するわけにはいかない。周知の解決策によれば、これらの制御用カムを、制御バーを担持しているレバーの長手方向部材中で回転できるように搭載された金属ローラという形態で作成することが提案されてきた。この解決策もまた、コネクタの構成部品の数とアセンブリの複雑さをさらに増すという欠点を有する。
最後に、この文書で周知の設計によれば、接触部を制御するバーを担持するレバーのピボットピンの位置は、レバーアームが短く、また、接触部の後退位置のところでは、接触部の偏向の具合が接触部の２行に対して同じではないように定められる。
本発明の目的は、これらの欠点を解決する文書第ＥＰ−Ｂ１−０．４６８．８２８号に述べられ図示されているタイプのコネクタの新規な設計を提供することである。
この目的のために、本発明は、制御バーの運動とその弾性的復帰を制御する単一のデバイスを有することを特徴とするコネクタを提供する。
このような設計のおかげで、制御バーを担持するレバーはプラスチック製でもよく、また、この単一制御デバイスは、製造が簡単な、特に金属製の一体構成部品であり、接触部ランディング用コネクタが２つの追加片をベースに搭載するだけで製造される。
本発明によれば、
−この単一デバイスは、
−自身が弾性的にそこに復帰し、また、制御バーをそこからその後退位置に復帰させる第１の角度位置と、
−自身がカードによってそこに移動され、また、この単一デバイス上に配置されているカム形成手段とそこで係合し、さらにまた、制御バーがその接触位置に来る第２の角度位置との間で、レバーのピボット軸に平行な回転軸の回りで、ベースに対して揺動するように搭載され、
−この単一デバイスが横断方向部材を有し、その両側の２つの端がトーションバーによってベースに接続され、２つのトーションバーによって弾性的に、この単一デバイスがその第１の角度位置に向かって回転するように駆動され、
−この単一デバイスは半径方向に伸張する制御アームを有しているが、この制御アームの自由端は反対側の表面に伸張していて、これによって、この単一デバイスがその第１の角度位置にあるときはこのアームが制御バーと係合してバーをその後退位置に駆動し、単一デバイスがその第２の位置にあるときはこのアームが制御バーから離れ、これによって、制御ブレードの固有の弾力性の作用によって制御バーをその接触位置に移動させるように制御バーを制御し、
−制御アームは後部から前部に長手方向に、単一デバイスの横断方向部材から、ベースの上方フェースの平面にほぼ並行に伸張し、
−制御アームはベースの停止表面の反対側に伸張し、この表面と係合して単一デバイスの最大の角度位置を定め、
−単一デバイスが２つの平行な制御アームを有し、
−単一デバイスは半径方向に伸張し、カムプロフィールを有する起動タブを有しているが、カードは、このカムプロフィールと係合して、単一デバイスをその第１の角度位置から第２の角度位置に回転させ、
−起動タブの自由端は、カードが存在しない場合は、ベースの上方フェースの上方に突出するように伸張し、
−起動タブは半径方向に、単一デバイスの横断方向部材から、前部から後部に伸張し、
−起動タブは制御アームに対して約４５度の角度を成し、
−起動タブの自由端は、カードの挿入位置ではカードの一方のフェースと係合して、特にカードのブレーキを構成するためにそれに対して支承力を印加する湯道（runner；ランナー、溶融した金属を流す通路）という形状をしており、
−単一デバイスは平行な２つの起動タブを有し、カードは２つのカムプロフィールと同時に係合し、
−レバーのピボット軸と、単一デバイスの回転軸と、カム形成手段と、はカードを長手方向に挿入する方向に沿って前部から後部に連続して配置され、
−単一デバイスとレバーはベースの下方フェースの下方に搭載され、
−停止表面がベースの前記の下方フェースに形成され、
−単一デバイスはカッティングされて折り曲げられたシート金属から成る細片であり、
−単一デバイスの静止部は、ベースを支持するボードのプリント回路のアースプレーンに接続することになっている少なくとも１つの電気的接続タブを有し、これによってカードからあらゆる正電荷を除去する、
−制御バーは接触ブレードの長手方向に対して直角に伸張して、湾曲した接触端部のところに伸張している各接触ブレードの嘴形状の自由端と係合し、
−レバーは、制御バーによって一緒に接続され１群の平行接触ブレードの両側で伸張している平行な２つの長手方向部材を有する。
本発明の他の特徴及び利点は、以下の添付図面を参照して次の詳細な説明を読めば明らかであろう。
図１は、本発明の教示による電気的コネクタの実施形態を示す上から見た斜視図であり、
図２は、図１のコネクタの下から見た斜視図であり、
図３は、コネクタの主構成部品が分解されている、図２に類似した斜視図であり、
図４は、図２のコネクタの下から見た拡大立面図であり、
図５は、図４を線５−５で切った断面図であり、
図６は、電気的接触ブレードを制御するバーを担持するレバーの主フェースを示す斜視図であり、
図７は、接続バーを担持するレバーの側面図であり、
図８は、下から見た図７の図であり、
図９は、右から見た図８の側面図であり、
図１０は、制御バーの運動と弾性的復帰を制御する単一の揺動デバイスの上から見た斜視図であり、
図１１は、図１０に示す単一デバイスの下から見た斜視図であり、
図１２は、その単一デバイスの側面図であり、
図１３は、行程端スイッチだけを装備した、コネクタの裸ベースの下から見た斜視図であり、
図１４はと１５は、制御バーを担持しているレバーがどのようにしてベース上にはめ合わされるかを２段階で図示する、図１３に類似の２つの図であり、
図１６と１７は、電気的接触ブレードを挿入することによってはめ合わせる２つの段階を示す、図１５に類似の２つの図であり、
図１７Ａは、図１７を線Ａ−Ａで切った拡大断面図であり、
図１８と１９は、図１０〜１２に示す単一デバイスを構成する揺動金属片をはめ合わせる２つの段階を示す、図１７に類似の図であり、
図２０は、コネクタのベースにカバーをどのようにしてはめ合わせるかを示す、図１９に類似の図であり、
図２１は、図４を線２１−２１で切った断面図であり、
図２２は、カードがコネクタに部分的に挿入されてその前部横断方向エッジが起動タブのカム表面と接触する位置にあるところを示す、図２１に類似の図であり、
図２３は、カードが挿入位置にあるところを示す、図２２に類似の図であり、
図２４〜２６は、図４を線２４−２４で切った、図２１〜２３に類似の断面図であり、
図２７は、レバーと制御ロッカーの１つの実施形態を示す、図３に類似の図であり、
図２７Ａは、図２７の詳細部Ａの拡大図であり、
図２８は、図２７の実施形態を示す、図１０に類似の図であり、
図２８Ａは、図２８の詳細部Ａの拡大図であり、
図２９は、レバーの実施形態を示す拡大図であり、
図３０は、特にカード制動手段を含むベースの１実施形態を示す、接触部担持ベースの上から見た斜視図であり、
図３１は、接触ブレード９６の嘴状の自由端１０２と係合する制御バー１１４の、図２５の中心部分の１実施形態の拡大詳細図である。
以下の説明及び請求の範囲で、「水平方向」、「縦方向」、「上方」、「下方」などの用語は、説明を簡単にするために特に図２１〜２６を参照して用いられており、本発明をなんら制限するものではない。
これらの図は、絶縁性材料からなる接触部担持サポートすなわちベース３２、及び上方カバー３４から実質的に成っている電気的コネクタ３０を示すものである。
コネクタ３０は矩形の平行六面体の一般的形状を有し、図１の右側にあるその前部端に平面矩形の一般的形状のカードＣ（図２１〜２６を参照）を長手方向に挿入するスロット３６を有しているが、そのモデルすなわち外形を図２２、２３及び２５、２６に部分的に示すが、このカードは、主要な２つの平面フェースすなわち下方フェース３８及び上方フェース４０と、コネクタ３０のスロット３６にカードＣを挿入する方向Ｉに対して直角に伸張する前部横断方向エッジ４２と、によってその境界を定められている。
カバー３４は矩形プレートという概略的な形状を持つプラスチック成形物であり、その前部横断方向エッジ４４は、カードＣを方向Ｉに誘導するためにカードＣの反対側長手方向エッジと係合するカバー３４の側壁５０の反対側の内部フェース４８の反対側によってカバー３４内で横方向の境界を定められるスロット３６にカードＣを挿入しやすくする面取り部４６を有している。
カバー３４は、その後部端横断方向エッジ５２のところで、その内部フェース５４に、横断方向に対面した２つのストップ５６を有しているが、この２つのストップ５６とカードＣの前部エッジ４２が係合して、カードＣがコネクタ３０に挿入される位置を定めている。
カードＣは、カバー３４の内部フェース上の浮き彫り状に２つの中心リブ上に形成された支承領域５８と係合する自身の上方フェース４０と、ストップ５６近くに形成された同一平面上の支承平面６０とによってコネクタ３０に導入されるに連れて縦方向上向きに誘導される。
カードＣの反対側のフェースが引っ掻かれるのを防止するために、各支承リブ５８を、長手方向に沿って連続して配置されている２つのプロフィール付きボスと交換してもよい。この解決策によってまた材料が節約される。
カバー３４の前部横断方向エッジ４４は中心に凹部すなわち窪み６２を有し、これによって、接触ブレードの接続タブを半田付けによって接続する動作が容易となり、接触部分を短くすることができる。
側壁５０の下方エッジと縦方向背部壁６４の下方エッジは、カバー３４をベース３２に固定する１連のフック６６を有している。
ベース３２は、リセス矩形プレートという概略的な形状を有する絶縁性プラスチック製の成形物である。
このベースは、面取り部４６と凹部６２と同じ機能を持つ面取り部７０と凹部７２を有する前部横断方向エッジ６８によってその長手方向の境界を定められている。
ベース３２の上方フェース７４は、自身が挿入される際にベース３２の上方平面フェース７４と係合する下方フェース３８を持つカードＣを挿入するスロット３６を縦方向では上向きと下向きとでその境界を定めているカバー３４の表面５８と６０に平行な平面状表面である。
図２１〜２６において、コネクタは、接続領域すなわちパッドを担持するカードＣのフェース３８が下向きに方位付けされるような位置で図示されているが、コネクタが反対側の位置を占めている応用分野、すなわちベースが頂部にあり、これによって、チップを積載しているカードのフェース３８が縦方向上向きに方位付けされた上方フェースとなっている応用分野も非常に多い。この位置にあると、カードは当然に、そのフェース４０がカバー３４のリブ上にある状態で静止しやすい。
カードが挿入されるときに破損しないように、カードのチップの接続領域すなわちパッドがカードの下方フェースから少し突出させると、ベースの上方フェース７４に深さ約１／１０ミリの溝（図３０を参照）を設けることができるが、この値は接触部のレベルと同じであり、すなわち、リブ５８同士間を伸張するカバーの対応する領域の反対側にあるベースのその中心部の全長にわたってこの溝を設けることができる。
ベース３２の側部フェース７８と後部横断方向フェース７６の下方エッジは、カバー３４のフック６６の嘴状端が係合する領域８０を有するが、この領域８０の縦方向位置は、カバー３４の（フック６６同士間にある）下方エッジ６７が、捕獲領域８０同士間に位置付けされている上方支承ファセット８１に当たるポイントによって、ベース３２に対して画定される。
組立位置では、また、特に図１と２から分かるように、ベース３２とカバー３４はアセンブリを矩形の箱という形態で構成している。
ベース３２は、例えば、ベース３２がプリント回路基板上に縦方向に捕獲されるように設計された４対の銛８６を後出の脚８４の近くに自身も有するベース３２の下方で縦方向下向きに伸張する４つの円筒形脚８４の環状の下方エッジ８２によって縦方向に自身が支承しているプリント回路基板（同図では図示せず）に固定されるように設計されている。
別の配置では、ベースは、簡単な支承プレート上に同じ銛８６によって搭載され、折衝部の接続タブはフレキシブルな回路を介して装置の電子系に接続される。
脚８４はベース３２の下方フェース８８から縦方向に伸張して、プリント回路基板に取り付けられた電子構成部品と、下方フェース８８に浮き彫り状に形成された部品すなわちこの下方フェースに取り付けられたコネクタの素子と、が伸張することがあり得るコネクタのほぼ全領域にわたるスペースの境界を、プリント回路基板の前記の下方フェースと上方フェースの間で定めている。
ベース３２は、自身の短い中心部分９０のところでは２つの横断方向エッジすなわち前部横断方向エッジ９２と後部横断方向エッジ９４によってその境界を定められていて、各々がこの場合は４つの接触部を有する２連の電気的接触部９６のサポートを構成している。
ある周知の設計によれば、各電気的接触部９６は、コネクタの中心に向けて方位付けされている自身の一方の自由端のところでは、縦方向上向きに面し自身が嘴状端１０２のところでまで伸張している膨らみを持つ湾曲接触部分１００のところで終端する長手方向方位の中心セクション９８を有する弾性的に変形可能なブレードとなっている。各中心セクション９８は、特に銛１０６を有する挿入タイプの固定部品１０４によってその他方の端に接続されている。
各接触部９６は、プリント回路基板の上方フェース上の導電トラックに半田付け又はロウ付けによって接続されるはずのタブという形態の接続端１０８まで自身の固定部分１０４を越えて伸張している。
ある周知の実施形態によれば、この接触部は、プリント回路基板の穴に突き入れられるタイプのものでもよい。
接触ブレード９６は弾性的に変形可能である、すなわち、その自由端１００と１０２はその固定部品１０４に対して縦方向に撓むことが可能である。
接触部９６の湾曲端１００は、非撓み静止状態においては、通常はベース３２の上方フェース７４の平面の上方に縦方向に突出するが、このフェースに当接してカードＣの下方フェース３８が、ベース３２の接触部を担持する中心部品９０のこの目的のために形成された開口１１０を通って滑動する。
接触部の詳細な設計と特にこの接触部が挿入によってどのように固定されるかについては、特に第ＷＯ−Ａ−ＦＲ９４／０１５３２号の内容が参照になる。
文書第ＥＰ−Ｂ１−０．４６８．８２８号の周知の原理に従って、また、接触部９６をランディングさせるタイプのコネクタを構成するために、コネクタ３０には、ブレード９６の接触端１００を制御するバー１１４を担持するピボット旋回レバー１１２が装備される。
図６〜９からより特定的に分かるように、レバー１１２は、横断方向制御バー１１４によって自身の長手方向端近くに接続されている２つの長手方向部材１１６から成る分岐を持つ概してＵ字形をしている。
各長手方向部材１１６の後部長手方向端１１８は、ベース３２と一緒に成形され、また、２つの長手方向方位付けされた縦方向側壁１２６同士間で後者のフェース８８下を伸張する対応するピボットピンセクション１２４の支承１２０中に弾性的はめ合いによって挿入できるようにする半径方向スロット１２２を通ってレバー１１２の下方フェースに出現する半円筒形ピボット支承１２０という形態に成形されている。
このように、レバー１１２は、セクション１２４の横断方向幾何学的軸Ｘ−Ｘの回りをベース３２に対してピボット回転するように搭載される。
制御バー１１４は、自身の中心部に、４つのレセプタクル１２８を２連だけ有しているが、その各々が上方仕切１３０によって縦方向上向きにその境界を定められており、また、接触ブレード９６の嘴状接触端１０２を収納するように後部又は前部に対して長手方向に開放されている。
各レセプタクル１２８はまた、縦方向下向きに開放されている。
長手方向部材１１６はその各々が、自身の後部長手方向端１３２と上方フェース１３４のところに、リブ１４０の境界を後部端エッジ１３８のところで定めている長手方向溝１３６を有している。
バー１１４の両端に横断方向に配置されているこの２つのリブ１４０は、接触部９６を制御する自身の中心部分の両側で、以下に説明するように、自身の軸Ｘ−Ｘの周りでレバー１１２のピボット旋回運動を制御する２つの表面を構成している。
レバー１１２を起動し、後者をその後退位置、すなわち、例えば図２１と２４に示すように、ブレード９６の湾曲した接触端１００が自身の固有の弾力性に逆らってベース３２の上方フェース７４から縦方向にそこから引き離される前記の位置に弾性的に復帰させる単一デバイスを本発明の教示によって構成する単一デバイス１４２をここで説明する。
特に図１０〜１２から分かるように、単一デバイス１４２（以後、ロッカーと呼ぶ）はカッティングと折り曲げによって成形されたシート金属の１細片から成っている。
ロッカー１４２は、接触部９６のサポートを形成しているベース３２の中心部９０とレバー１１２と同じように、コネクタの縦方向中央平面に対して概して対称的な設計をほぼ有している。
ロッカー１４２は、プレートという形態を持ち、また、ロッカーがその第１の角度位置にあるときにコネクタ３０中で実質的に水平方向に方位付けされる中心横断方向部材１４４を有している。
横断方向部材１４４から成る中心部はベース３２の下方フェース８８の下に「吊られ」る。
この目的のために、横断方向部材１４４は、その２つの両側の横断方向端１４６の各々のところで、横断方向部材１４４の平面に対して平行な平面上の外側に向けて横断方向に伸張している細片１４８のところで広がっている。
各細片１４８は横断方向部材１４４と２つの側部プレート１５０の間にある接続用細片であり、これによってベース３２の下方フェース８８の下にロッカー１４２を固定するが、以下に説明するように、横断方向部材１４４と弾性トーションバーの回転軸すなわち揺動軸を細片１４８が画定する。
細片１４８はその各々が、自身の横断方向端１５２の近くで、前部から後部はプレート１５０の前部横断方向エッジ１５６のところまで伸張している長手方向接続ビーム１５４によって固定プレート１５０に接続されている。
固定プレート１５０、長手方向ビーム１５４及び細片１４８はすべて、ロッカー１４２が弾性的に変形されていないとき、すなわち図１０〜１２に示すような状態にあるときは横断方向部材１４４とほぼ同じ平面上を伸張している。この設計によって、ロッカーを金属シートから切り出す動作が簡略化され、また、非常に正確な細片の寸法が保証される。
ビーム１５４は細片１４８と一緒になって、揺動運動の振幅を増大させ、こうすることによってロッカー１４２が軸Ｙ−Ｙに沿って移動する範囲を減少させることを可能とする。
ビーム１５４は弾性的な移行をするが、これはこのビームが、トーションバーを形成している細片１４８と剛性静止プレート１５０間で撓んで弾性的に変形可能であるからである。この弾性的移行が、バー１４８の端における応力のレベルを下げ、横断方向部材１４４の弾性的回転に寄与する。
ロッカー１４２を適切に動作させるためには通常は省いてもかまわないが、ビーム１５４による弾性的移行によって横断方向部材１４４が縦方向に少し並進することは二次的なものであり、したがって、無視可能であり、また、横断方向部材１４４は軸Ｙ−Ｙの周りで揺動するものと見なされる。
固定プレート１５０はその各々が、矩形という概略外形を有し、また、プレート１５０を支持し固定する下方平面領域１６２の上方に形成されている４つの相補的なハウジングすなわちノッチ１６０にバヨネット型で搭載されるように４つの同一平面上横断方向タブ１５８を有している。
このバヨネット型搭載は、後部から前部にノッチ１６０中にタブ１５８を長手方向に挿入することによって実行される。
プレート１５０は、プレート１５０の前部横断方向エッジ１５６から前部に向けて長手方向に伸張する２つの同一平面上ブレード１６４との相互作用によって支持されるるが、このブレード１６４は各々が、表面１６２に隣接したベースの相補的表面１６５の反対側に伸張しこれに当接して支承するようになっている。
図１７Ａに示す詳細から分かるように、表面１６２と１６４は水平方向にない、すなわちベースの上方フェース７４の一般的平面に平行ではない。
ロッカー１４２の一般的平面はしたがって、その搭載位置においては、ベースの下方フェース３２の下方で約４度という鋭角「ａ」を成すように傾斜され、これによって、ロッカー１４２が、後で説明するように、ロッカーがその第１の角度位置にあるときにトーションバーが事前応力印加される平衡状態になるように配慮される。
各固定プレート１５０はまた、ベース３２に形成されている相補出現穴１６８の反対側に来るように設計された穴１６６を有しているが、これらの整合されている穴１６６と１６８は、カバー３４がベース３２に固定されると、カバー３４の内部フェース５４から縦方向に伸張するフィンガ１７０を収納するように設計されている。
ロッカー１４２は、ベース３２の下のその搭載位置において、そして特に図２、４及び１９から分かるように、ベース３２の下方フェースの下でそのプレート１５０によって固定され、また、特に横断方向部材１４４によって形成されているその主中心部は、ほぼ細片１４８に対応している幾何学的回転軸Ｙ−Ｙの周りで揺動することが可能である。
この揺動運動は、横断方向部材１４４を弾性的に復帰させる２つのトーションバーを構成している細片１４８によって自身に印加されるロッカー１４２の弾性的復帰力に逆らって実行される。
レバー１１２を動作させるために、またより具体的には、長手方向部材１１６の後部長手方向端１３２のところに形成されている制御表面１４０に作用するように、ロッカー１４２は横断方向に対向する２つの平行制御アーム１７４を有しているが、このアーム１７４は各々が、同一平面上にあるように、横断方向部材１４４の前部横断方向エッジ１７６から伸張している。
コネクタの様々な構成部品の組立位置では、また、特に図２１〜２３から分かるように、制御アーム１７４の各後部長手方向端１８０の下方フェース１７８は表面１４０を縦方向に当接して支承している。
制御アーム１７４は、横断方向１４４と一緒になって剛性アセンブリを形成している、すなわち、これらは横断方向部材１４４の平面に対して縦方向には屈曲することは不可能であり、それは、その剛度が、横断方向部材１４４の前部横断方向エッジ中のアーム１７４同士間に形成されているリブ１８２によって強化されているからである。
横断方向部材１４４の後部横断方向エッジはまた、２つのタブ１８６間で長手方向に伸張している強化リブ１８４を有し、これによってカードＣによってロッカー１４２を起動させるが、これは、変更例として、リブ１８４にとっては、タブ１８６間で横断方向部材の横断方向幅全体にわたって伸張することが可能であるからである。
各起動タブ１８６は横断方向部材１４４から長手方向後方に伸張して、後者と制御アーム１７４の一般的平面に対して約４５度の角度を成し、したがって、起動タブ１８６は後方にまた縦方向上向きに伸張し、このタブ１８６は各々はべース３２に形成されている出現穴１８８を通り、これによって、各起動タブ１８６の湾曲自由端１９０は、特に図２１及び２２並びに２４及び２５に示すように、スロット３６内部のベース３２の上方フェース７４の上方縦方向に突出するように伸張しているが、この状況は、カードＣがコネクタ３０に完全に挿入されるまで続く。
コネクタの性能と信頼性をさらに向上させるには、横断方向部材１４４に対する角度付きで接続している領域で各起動タブ１８６に長手方向強化リブ（図示せず）を装備すればよい。
各タブの湾曲端１９０の凸状上方フェース１９２は、カードＣをコネクタ３０に挿入する段階の最後でカードＣの前部横断方向エッジ４２が係合するカムプロフィールを形成している。
制御アーム１７４と同様に、起動タブ１８６は、横断方向部材１４４と一緒に、カードＣに作用によっては変形しない剛性アセンブリを形成しているが、このアセンブリは、トーションバー１４８とビーム１５４が変形することによって軸Ｙ−Ｙの回りで揺動することが可能である。
「バネ」特性を持つ金属片であるロッカー１４２は、プリント回路基板の各回路（図示せず）に固定プレート１５０を接続するために２つのタブ１９６を有しているが、これらのタブ１９６は、接触部９６の電気的接続タブ１０８と同時にプリント回路基板に半田付けされる。
コネクタを形成する構成部品の組み立て位置においては、各制御アーム１７４の上方フェース１７９はベース３２の下方フェース中で自身に対向して形成されている停止表面１８１の反対側に伸張している。
コネクタを製造する目的で様々な構成部品を組み立てる方法をここで、特に図１３〜２０を参照して説明する。
図１３に示すように、ベース３２は、カードＣがその挿入位置に存在することを検出するスイッチ２００を取り付けることによって組立が開始される際の基準部品として用いられるが、このスイッチはここではこれ以上詳細には説明しないが、その引き外しレバー２０２は図２４〜２６に示すように、この引き外しレバーは、カードＣをコネクタに挿入する端で、カードがストップに当接する約０．８ｍｍ前でその状態が変化し、またカードを取り外すときは逆に変化するようにその横断方向エッジがスイッチに作用するシーケンスに従ってカードの前部横断方向エッジ４２と係合している。
様々な構成部品を組み立てる動作によって引き続きレバー１１２が搭載される。
この目的のために、図１４に示すように、支承１１８はピボットピンセクション１２４の回りで弾性的にはめ合わされ、これによってレバー１１２を軸Ｘ−Ｘの回りにピボット回転するように搭載する。
このはめ合わせ位置から、図１４に示すように、レバー１１２が次に、４つのレセプタクル１２８がそれぞれ形成する２連の間に存在する制御バー１１４のフェース１３４の部分が空洞１１０（図１４を参照）同士間に存在するベース３２の横断方向部材１３５をこれに当接して支承する図１５に示す自身の位置に到達するまでピボット旋回させられる。
レバー１１２を図１５に示すその位置にピボット旋回させた後は、中心スロット１１３が浮き彫り状の形態（図５と１５を参照）の上で反対側に形成されている２つの停止リップ１１９に対面するように伸張している２つの止め接ぎ手１１５をその両側の横断方向端として有する限り、軸Ｘ−Ｘの回りにピボット旋回するその能力は制限されるが、この接ぎ手１１５は、自身を支持するブレード状部が弾性的に変形するおかげで搭載中は弾性的に移動して離れる。
次に、２グループを成すそれぞれ４つの接触部９６が長手双方向に挿入することによって導入されるが、各々が４つのブレードを成す２つの連は側部細片９７によって一緒に接続され、これによって、接触部を４つ同時に挿入し易くしている。
この挿入動作の間に、接触部９６の嘴状自由端１０２は各々がレバー１１２の制御バー１１４の対面するレセプタクル１２８に進入し、これによって、対応するレセプタクルの上方仕切１３０に対向して伸張している。
接触部９６を挿入したら、次に、ブレード９６を接続する側部細片９７が切り取られ、これによって図１７に示す配置を終了する。
次にステップは、図１８と１９の連続する２つの段階で示すように、ロッカー１４２を搭載することである。
こうするために、図１８に示すように、制御バー１１４を縦方向下向きに押し、これによってロッカー１４２の制御バーの自由端１８０が制御表面１４０の下に挿入され、プレート１５０が図１８に対して縦方向下方に移動して支承表面１６２に対して上から押圧され、次に、タブ１５８が長手方向にレセプタクル１６０中に後部から前部に挿入され、これで図１９に示す位置に最終的に来るが、この位置でロッカー１４２が縦方向に固定される、すなわち、プレート１５０は、表面１６２に当たり、しかも、前部に向けて長手方向に当接するが、その理由は、タブ１５８の前部横断方向エッジがレセプタクル１６０の底部と係合するからである。
次に、レバー１１２と制御バー１１４に印加されている力が解除される。この運動の間、トーションバーはその固有の弾力性に逆らって回転するように駆動されるが、その理由は、制御アーム１７４の前部長手方向端１８０がレバー１１２の長手方向部材の長手方向端に形成されている制御表面１４０によって駆動されるからである。
様々な構成部品のディメンジョン及び、特に制御アーム１７４が伸張する平面の高さは、レバー１１２が自身のピボット軸Ｘ−Ｘの回りで図２１と２４に対して反時計回り方向に回転するように駆動され、これによって、制御バー１１４が嘴状端１０２を（図２１と２４に対して）縦方向下向きに駆動するそのいわゆる後退位置を占有して接触ブレード９６を弾性的に変形させ、これによって、湾曲接触端１００が接触部担持ベース３２の上方フェース７４から離れるすなわち後退するような値となっている。
したがって、特に図２１と２４に示すロッカー１４２と制御バー１１４のこの第１の平衡角度位置においては、接触部は上方フェース７４から突出することはなく、これによって、カードＣを挿入するように後者から完全に離れる。
コネクタ３０の構成部品の組立は、図２０に示すように、表面を掴むフック６６の接ぎ手によってベース３２にカバー３４を固定して完了である。
この固定動作間に、（図２０から見て）カバー３４をベース３２に対して縦方向下方に移動させることによって、フィンガすなわちスタッド１７０がベース３２の穴１６８及びロッカー１４２のプレート１５０の整合穴１６６を連続して通過し、これによってベース３２に対してプレート１５０を長手方向にその運動を拘束する。この動作の間に、また、この動作に続いて、特にカードを挿入する際にコネクタが横断方向外側に「開く」という好ましくない結果となることを防ぐために、リッド３４の側部エッジ５０の前部部品３５がベース３２の相補的部品３３中に相補的にはめ合うようにしてもよい（図３を参照）。
カバー３４を組み立てる最終的な動作は、プレート５０から縦方向に突出しているフィンガ１７０の自由端を、加熱変形によって圧着することによって実行するのが好ましい。
この圧着動作によってアセンブリは非常に剛度の高いものとなり、ロッカー１４２の運動を高い信頼性で拘束し、このプレート１５０は平面状表面１６２に当接してこれを縦方向に支承するように「はさみつけ」られ、するとこの平面状表面１６２はその機能をより良好な条件下で、すなわち幾何学的精度が増し様々な力が良好に制御された状態で発揮できるようになる。
コネクタの設計は、力と応力のすべてが同じ領域、すなわち固定プレート１５００がはめ合わされるポイントの周りの領域に限られることに注意されたい。これによって、事前応力印加されて搭載されるロッカー１４２の弾性的動作に特に起因する内部応力のすべてがコネクタの非常に剛度の高い領域に限られるので、この配置は特に利点となる。したがって、コネクタは、自身を固定して約２６０℃という温度が必要ないわゆるリフロー技法を用いてそのリード線を接続するために実行される加熱動作中に望ましくない変形をする危険性を免れる。
ユニット全体を構成する完了品としてのコネクタ３０を形成するためにカバー３４をベース３２にはめ合わせる動作を説明した。
もちろん、行程終端スイッチ２００接触部９６とロッカー１４２のタブ１９６の接触部９６を電気的に接続するために必要な半田付け又はロウ付け動作を実行することによって図１９に示すサブアセンブリをプリント回路基板上に前もって搭載し、次に、続いてプラスチックカバー３４を取り付けることは可能であり、もちろん、この搭載モードによって、フィンガ１７０の加熱圧着という相補的な動作が不必要となる。
カードＣがコネクタ３０に挿入されたりそれから取り外されたりしている間での制御バー１１４とロッカー１４２の動作を図２１〜２６を参照してここで説明する。
図２１と２４において、レバー１１２は、接触部９６の端１００の後退位置でもあるロッカー１４２によって自身が弾性的に復帰されられるその後退位置で、その制御バー１１４を持った状態で図示されている。
これと同じ位置で、ロッカー１４２を起動するタブ１８６の自由端１９０は後者の後部端壁近くでスロット３６中に突出している。
図２２、２３、及び２５、２６にカードＣの長手方向前部端部を示すが、その平均厚さはその反対側の主フェース３８と４０によってその境界を定められ、カードＣもまた局所的にエッチング又は浮き彫りされた部分を有するが、これが、表面部分３９と４１によって境界を定められた上方厚さが与えられる。
カードＣは長手方向に前部から後部に、すなわち図２１〜２６に対して右から左に挿入され、その前部横断方向エッジ４２は、図２２と２５に示す中間位置に到達するまでスロット３６に徐々に移動し、この中間位置で、ロッカー１４２の起動タブ１８６の湾曲端部分１９０と整列するように伸張する。
カードＣが、図２２と２５に示す中間位置を越えて長手方向左にその挿入運動を継続すると、それと同時に、前部横断方向エッジ４２が起動タブ１８６の湾曲端１９０の凹状表面１９２と係合し、これによってこれらのタブ１８６をベース３２の穴１８８を通って移動させて離す。
カードＣのエッジ４２が起動タブ１８６に及ぼす作用によって、ロッカー１４２の中心部全体及び特にその横断方向部材１４４が図２１〜２６に対して反時計回り方向にその回転軸Ｙ−Ｙの周りに揺動する。
カードＣの挿入運動の間に、そして、この挿入運動によってカードＣの反対側フェースに支承力を及ぼす起動タブ１８６とそのカードの前部エッジ４２が接触するとすぐに、プラスチック製カードＣに存在する静電気が読み出し／書き込みデバイスのプリント回路基板の接地回路に、接続タブ１９６を持つ金属ロッカー１４２を介してこれらの電荷が転送されて放電されるが、この放電は接触部９６〜１００がカードＣの接続領域すなわちパッドと電気的に接触する以前に達成される。
カードＣの挿入運動とロッカー１４２の揺動運動は、図２３と２６に示す最終的な挿入位置に達するまで継続される。
ロッカー１４２のその第２の角度位置に向けての回転運動はトーションバー１４８の弾力性に逆らって実行され、トーションバーがロッカーの中心部に及ぼす回転復帰トルクはそれに比例して増す。
すると、ロッカー１４２は、制御アーム１７４の自由端がレバー１１２の制御表面１４０とこれ以上係合しないその第２の角度位置に来る。
この第２の角度位置は、制御アームが停止表面１８１と当接すればそこが限度である。
その結果、レバー１１２は、仕切１３０と係合する嘴状端１０２を介して制御バー１１４に及ぼされる弾性的復帰力の作用によって、図２１〜２６に対して時計回り方向にその軸Ｘ−Ｘの回りで自由にピボット旋回することが可能である。
すると、湾曲接触端１００は、縦方向上向きにランディングすることによって、カードＣの下方フェース３８に形成されている対面導電領域と自由に接触するようになる。
したがって、接触部９６〜１００のランディング動作は、コネクタ３０にカードＣが挿入される行程の正に端でだけ、しかもカードがスイッチ２００に作用する以前に非常に徐々に発生する。
本発明の設計のおかげで、接触部を制御するバー１１４を担持するレバー１１２のピボット軸Ｘ−Ｘの位置は、コネクタの十分前で、レバーアームが非常に長く、また、接触部は、その後退位置で、双方の行の接触部の場合とほぼ同じ程度に撓むような位置となる。
カードＣがコネクタ３０から取り外される、そして、エッジ４２が図２２と２５に示すその長手方向位置に再び達すると、トーションバー１４８によってその横断方向部材１４４に及ぼされる復帰トルクの効果によってロッカー１４２が軸Ｙ−Ｙの回りに時計回り方向にピボット旋回し、これによって、制御アーム１７４が再び制御表面１４０に作用して、レバー１１２を軸Ｘ−Ｘの回りで反時計回り方向にピボット旋回させ、これによって制御バー１１４によって再び、接触ブレード９６の接触端１００が移動して離れるが、この動作はカードがスイッチ２００にもはや作用しないようになる以前に完了される。
図３１に示す実施形態を参照すると、嘴状端１０２と係合する仕切１３０を非対称形にし、これによって、２つの整合済みの仕切がピボットピン１２４に対して長手方向の片寄りにもかかわらず、整合した２つのブレード９６の湾曲端１００はカードが存在しない場合と同じ高さにあり、これによって特に、図３１に対して右側のブレードの湾曲端が上方フェース７５の平面の少し上方に突出するのを防いでいる。
この目的のために、左側の仕切を薄くし、また、ピン１２４から最も遠くにある左側の接触ブレード９６の嘴状端１０２の傾斜に応じた角度で傾いた下方ファセット１３１を持つ形状となっており、これによって、このファセットが左側ブレードの嘴状端１０２に対して支承表面として働き、同時に右側仕切１３０の自由横断方向エッジ１３３が、ピン１２４に最も近い左側接触ブレード９６に属する嘴状端１０２と係合するようになっている。
取り外しの際には、起動タブ１８６の湾曲自由端１９０がカードＣの横断方向エッジ４２に及ぼす作用によって、このエッジが湾曲部１９０の凸状ベンドを通過するとすぐにカードＣの一部がコネクタから吐出される。
加えて、ロッカー１４２の構成とコネクタ中でのその配置によって使用者はカードの挿入と取り外しの双方の際に感触を得る。
図２３と２６に、レバー１１２が制御バー１１４の上方フェースによってカードＣの対面下方フェースに縦方向に対して押圧されているところを示す。制御バー１１４は、接触ブレード９６の嘴状端１０２に縦方向に当たるように通常は引力で「落ち戻る」べきである。しかしながら、対応するブレードが結局カードの接続領域から持ち上げられて離れるまでスプリアス振動効果によって制御バーが１つ以上の接触部に対して縦方向に力を印加すると、この仕組みは不満足なものであることが分かる。
この欠点を解決し、また、制御バーが、自身が嘴状接触端１０２上に静止しないという図２３と２６に示すその状態を占めるようにするために、図２７〜２９に示す実施形態を用いてもよい。
この実施形態では、制御アーム１７４の後部長手方向端１８０は各々が熊手のような形状をしている、すなわち、制御アーム１７４の平面に平行で縦方向下向きに片寄っている平面上で長手方向に伸張する留めタブ２１０を有し、これによって、長手方向部材１１６の後部自由端近くの制御バー１１４の下方フェース１３２に形成されている相補的な留め表面２１２の下方を伸張している。
このようにして、制御バーと制御アームの運動は双方向で結合している。
もちろん、コネクタが図２１〜２６に示す位置に対してあべこべに搭載されると、制御バー１１４のフェース１３２は当然、陰極によって、図２３と２６に示すその位置を取る。
すでに述べた利点は別にしても、高価でない材料から作られた簡単な２つの構成部品を用いて、ベースの下方フェースの下方でこれらの２つの部品１１２と１４２を付加することによって接触部をランディングさせるタイプのコネクタを製造する本発明による設計によって、ベースをカバー３４と結合させることによってそれを何ら変化させずに用いて滑動接触コネクタを製造することができる。
したがって、部品の数が減少し、また、アセンブリを自動化することを非常に容易とする設計となっているので、従来タイプのコンタクトと接触部をランディングさせるタイプのコンタクトとの違いは減少する。
ベースが部品１１２と１４２を装備していない場合、挿入位置にカードのブレーキを用いる必要があるかもしれない。
この目的のために、２つの弾性細片２１４を、カードの下方フェースと係合して後者をカバー３４内で上向きに押圧するようにベースの上方フェースに成形することによって製造する図３０を示す実施形態を用いてもよい。
本発明はコネクタが２つの平行な行を成す接触部を有する場合に限られるものではなく、１つの行から成る接触部を有するコネクタの場合にも応用され得る。
【図１】
0004024873.tif 000002
【図２】
0004024873.tif 000003
【図３】
0004024873.tif 000004
【図４】
0004024873.tif 000005
【図５】
0004024873.tif 000006
【図６】
0004024873.tif 000007
【図７】
0004024873.tif 000008
【図８】
0004024873.tif 000009
【図９】
0004024873.tif 000010
【図１０】
0004024873.tif 000011
【図１１】
0004024873.tif 000012
【図１２】
0004024873.tif 000013
【図１３】
0004024873.tif 000014
【図１４】
0004024873.tif 000015
【図１５】
0004024873.tif 000016
【図１６】
0004024873.tif 000017
【図１７】
0004024873.tif 000018
【図１７Ａ】
0004024873.tif 000019
【図１８】
0004024873.tif 000020
【図１９】
0004024873.tif 000021
【図２０】
0004024873.tif 000022
【図２１】
0004024873.tif 000023
【図２２】
0004024873.tif 000024
【図２３】
0004024873.tif 000025
【図２４】
0004024873.tif 000026
【図２５】
0004024873.tif 000027
【図２６】
0004024873.tif 000028
【図２７】
0004024873.tif 000029
【図２７Ａ】
0004024873.tif 000030
【図２８】
0004024873.tif 000031
【図２８Ａ】
0004024873.tif 000032
【図２９】
0004024873.tif 000033
【図３０】
0004024873.tif 000034
【図３１】
0004024873.tif 000035